【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
その時点における顔面皮膚プロフィールに基づいて、美容のための顔面処置における美容物質の塗布を動的に適応させる方法であって、
少なくとも１つのセンサ（２１４）を使用して、患者（６００）の顔面皮膚（６０４，６０８，６１２，６１６，６２０）の少なくとも１つの可変の皮膚特性のその時点における少なくとも１つの値を測定すること、
前記患者の顔面皮膚の少なくとも１つの個人的皮膚特性を獲得すること、
前記少なくとも１つの個人的皮膚特性および前記その時点における少なくとも１つの値に従って、前記患者のその時点における顔面皮膚ステータスを計算すること、
気象データから得られた少なくとも１つの環境条件特性を獲得すること、
前記その時点における顔面皮膚ステータスおよび獲得された少なくとも１つの前記環境条件特性に従って、処置アプリケータ（２０２）を動作させる命令を決定すること、ならびに
前記命令に従って前記処置アプリケータ（２０２）による美容物質の塗布を命令すること
を含む方法。
【請求項２】
前記患者の前記その時点における顔面皮膚ステータスが、前記少なくとも１つの個人的皮膚特性および前記少なくとも１つの環境条件特性に従って計算され、前記少なくとも１つの環境条件特性が、その時点における天気、湿度、湿度予測、温度予測、雲量予測、汚染レベル、放射レベル、紫外線インデックス、および紫外線インデックス予測からなるグループから選択された、請求項１に記載の方法。
【請求項３】
前記患者のその時点における位置を示す位置データを獲得すること、および前記その時点における位置を使用して前記少なくとも１つの環境条件特性を獲得することをさらに含む、請求項１または２に記載の方法。
【請求項４】
前記その時点における顔面皮膚ステータスの前記計算に先立つ予め決められた期間における前記患者の位置を示す履歴記録の解析を実行することをさらに含み、前記患者の前記その時点における顔面皮膚ステータスが、前記少なくとも１つの個人的皮膚特性および前記その時点における少なくとも１つの値ならびに前記解析の結果に従って計算される、請求項１に記載の方法。
【請求項５】
前記その時点における顔面皮膚ステータスの前記計算を進める予め決められた期間における前記患者の将来の位置を示す日程記録の解析を実行することをさらに含み、前記患者の前記その時点における顔面皮膚ステータスが、前記少なくとも１つの個人的皮膚特性および前記その時点における少なくとも１つの値ならびに前記解析の結果に従って計算される、請求項１に記載の方法。
【請求項６】
前記少なくとも１つのセンサ（２１４）が、イメージセンサ、皮膚水分検出器、および、皮膚弾性検出器からなるグループの１つの部材を含む、請求項１に記載の方法。
【請求項７】
その時点における顔面皮膚プロフィールに基づいて顔面処置を動的に適応させるシステム（２００）であって、
患者（６００）の顔面皮膚（６０４，６０８，６１２，６１６，６２０）の少なくとも１つの皮膚特性のその時点における少なくとも１つの値を測定する少なくとも１つのセンサ（２１４）と、
患者の顔面皮膚に処置を供与する少なくとも１つのアプリケータ要素（２１６）を備える処置アプリケータ（２０２）と、
コード（２１２）を記憶したプログラム記憶装置と、
前記少なくとも１つのセンサ（２１４）、および前記プログラム記憶装置（２１２）に結合されたプロセッサ（２１０）であり、記憶された前記コードを実施するプロセッサと
を備え、前記コードが、
前記その時点における少なくとも１つの値から、前記患者（６００）の顔面皮膚の少なくとも１つの個人的皮膚特性を獲得するコード命令と、
前記少なくとも１つの個人的皮膚に従って、前記患者（６００）のその時点における顔面皮膚ステータスを計算するコード命令と、
気象データから得られた少なくとも１つの環境条件特性を獲得するためのコード命令と、
前記その時点における顔面皮膚ステータスおよび獲得された少なくとも１つの前記環境条件特性に従って、処置アプリケータ（２０２）を動作させる処置命令を決定するコード命令と、
前記処置命令に従って前記処置アプリケータ（２０２）に命令するコード命令と
を含む、
システム。
【請求項８】
前記処置アプリケータ（２０２）が、取外し可能な少なくとも１つのカプセルを収容する物質容器（２１８）をさらに備え、前記取外し可能な少なくとも１つのカプセルがそれぞれ、決定された前記処置命令に従って少なくとも１つのアプリケータ要素（２１６）によって塗布する少なくとも１種の美容物質を含み、
決定された前記処置命令が、それぞれの美容物質について、量、濃度、投与タイプ、および別の少なくとも１種の美容物質との組合せのうちの少なくとも１つを制御する命令を含む、請求項７に記載のシステム。
【請求項９】
前記患者（６００）の前記その時点における顔面皮膚ステータスを計算することが、異なる複数のそれぞれの患者の少なくとも１つの顔面皮膚特性を記憶した訓練セットを使用して訓練された機械学習アルゴリズムを実行するコードに基づいて実行される、請求項７に記載のシステム。
【請求項１０】
前記訓練セットが、前記異なる複数のそれぞれの患者の計算されたその時点における少なくとも１つの顔面皮膚ステータスを記憶しており、前記異なる複数のそれぞれの患者の前記計算されたその時点における少なくとも１つの顔面皮膚ステータスが、対応するそれぞれの患者の少なくとも１つの可変の皮膚特性の測定された少なくとも１つの値および少なくとも１つの個人的皮膚特性に基づいて計算されたものである、請求項９に記載のシステム。
【請求項１１】
前記患者の前記その時点における顔面皮膚ステータスが、前記少なくとも１つの個人的皮膚特性および前記少なくとも１つの環境条件特性に従って計算され、
前記少なくとも１つの環境条件特性が、その時点における天気、湿度、湿度予測、温度予測、雲量予測、汚染レベル、放射レベル、紫外線インデックス、および紫外線インデックス予測からなるグループから選択された、請求項７に記載のシステム。
【請求項１２】
前記コードが、前記患者のその時点における位置を示す位置データを獲得すること、および前記その時点における位置を使用して前記少なくとも１つの環境条件特性を獲得することのためのコード命令をさらに含む、請求項７から１１のいずれかに記載のシステム。
【請求項１３】
前記コードが、前記その時点における顔面皮膚ステータスの前記計算に先立つ予め決められた期間における前記患者の位置を示す履歴記録の解析を実行するためのコード命令をさらに含み、
前記患者の前記その時点における顔面皮膚ステータスが、前記少なくとも１つの個人的皮膚特性および前記その時点における少なくとも１つの値ならびに前記解析の結果に従って計算される、請求項７に記載のシステム。
【請求項１４】
前記コードが、前記その時点における顔面皮膚ステータスの前記計算を進める予め決められた期間における前記患者の将来の位置を示す日程記録の解析を実行するためのコード命令をさらに含み、
前記患者の前記その時点における顔面皮膚ステータスが、前記少なくとも１つの個人的皮膚特性および前記その時点における少なくとも１つの値ならびに前記解析の結果に従って計算される、請求項７に記載のシステム。
【請求項１５】
前記少なくとも１つのセンサ（２１４）が、イメージセンサ、皮膚水分検出器、および、皮膚弾性検出器からなるグループの１つの部材を含む、請求項７に記載のシステム。